(57)【要約】      （修正有）【課題】調理中に火力の調整ができ、調理後に短時間で炭火を消して、消し炭を作りその消し炭を再利用できる炭火を使用するコンロを提供する。【解決手段】コンロ外装部１と、当該コンロ外装部１の中央部に入れられたコンロ内装部１２とからなるコンロであって、コンロ内装部１２の下側には下側皿５が設けられており、当該下側皿５はロット１３に接続され、当該ロット１３に設けられたレバー２、３により下側皿５を上下方向に移動させることが可能で、空気の量を調節できる。【選択図】図１
0003207819.tif 000002
【実用新案登録請求の範囲】
【請求項１】
コンロ（バーベキューコンロ）装置を使用中コンロの下側の皿を上下することで空気の量（火力の量）を調整する。
下側皿の角度を５段階に変えて空気の量（火力の量）を調整できる。
【請求項２】
コンロ（バーベキューコンロ）を使用後コンロ下側の皿を上部へあげる事で下側からの空気を遮断する、コンロの上部に皿をかぶせて、上側からの空気を遮断する、又上側  下側を左右  ２個のスプリングで止めることで内気と外気を完全に遮断する事で、短時間で火が消え、消し炭が出来る。その消し炭が再利用できる特徴をもつ炭火焼きコンロ（バーベキューコンロ）である。
【考案の詳細な説明】
【技術分野】
【０００１】  本考案は、コンロ使用後に消し炭が出来る装置である、又  消し炭を再利用できる。
【背景技術】
【０００２】  従来のコンロ（バーベキューコンロ）は、使用後炭に水をかけて消火していた。又コンロ本体にカバーをかけて消火していた。
【先行技術文献】
【特許文献】
【０００３】
【特許文献１】実用新案  実開平７−２４２３２
【特許文献２】実用新案登録  第３１０３１６５
【考案の概要】
【考案が解決しようとする課題】
【０００４】上記特許文献１に記載されるコンロは、火床の高さを変えることで、火力の調整をするが、本考案は左右のレバーを上下に動かすことで下側の皿が上下するので、３段階に空気調整（火力調整）が出来る利点がある。【０００５】上記特許文献２に記載されるコンロは、燃焼室が広い為に消火が遅い。本考案は燃焼室が狭い、又  上皿  下皿をスプリングで左右止めることで、完全に内気  外気を遮断するので（上下にパッキンを使用）短時間で消せることで、消し炭が出来て再利用できる。持ち運びも便利である。
【図面の簡単な説明】
【０００６】
【図１】調理中コンロの前面図
【図２】調理中コンロの上面図
【図３】調理中コンロの後面図
【図４】調理後コンロの前面図
【図５】調理後コンロの上面図
【図６】調理後コンロの後面図
【考案を実施するための形態】
【０００７】  図面を見て説明します。
調理前にすること
図１前面図２のレバーをＤに３のレバーをＢ
図３後面図２のレバーをＩに３のレバーをＦ
の位置にすることで、下側の皿５が下方へさがり炭火に火をつけます。
（下から空気が入ります）
【０００８】  調理後にすること
図４前面図２のレバーをＣに３のレバーをＡ
図６後面図２のレバーをＧに３のレバーをＥ
の位置にすることで、燃焼室１２下側ミミ１５にパッキン４皿５が上方へ、燃焼室１２上側ミミ１１にパッキン６皿７をかぶせて、上皿と下皿を右側スプリング８、左側スプリング９で固定して、内気と外気を遮断するので短時間に消火します。消えた炭は消し炭として再利用。
【実施例】
【０００９】実施例について、図面を参照にして説明する。
図１〜図６において０，５〜１，５ｍｍ程度の鋼板を切断し曲げて成型する。【００１０】鋼板で長方形の筒状のコンロ外装部１（深さ前面１２０ｍｍ後面１８０ｍｍ横５１０ｍｍ縦２６０ｍｍ）を作り、コンロ外装部より小さい長方形の筒状のコンロ内装部１２（深さ１００ｍｍ横４００ｍ縦２００ｍｍ）を作る。【００１１】コンロ外装部１の中央にコンロ内装部１２を入れ、外装部１の上面部から２０ｍｍ上の所に内装部１２を前後鋼板で固定する。【００１２】内装部１２の上側に２０ｍｍのミミ１１と下側に２０ｍｍのミミ１５を直角に取り付けます。
この部分に上側パッキン６下側パッキン４が接触して内気と外気を遮断します。
パッキン６パッキン４は、アルミシートの中に断熱材を入れて巻いた物である。【００１３】上側の皿７はコンロ内装部１２上側の幅より少し大きめ、左右前後４５度内側に１０ｍｍほど曲げた皿です。皿の左右に手で持つブラケットがついている、ここにスプリングがかかる。【００１４】下側の皿５はコンロ内装部１２下側の幅より少し大きめ、左右前後９０度内側１０ｍｍほど曲げた皿です。皿の下側に左２か所  右２か所にブラケット（鉄棒７ｍｍ）を外側に向け３５ｍｍ出して溶接、棒の先端５ｍｍ下向きに４５度曲げる。皿の下側左右ブラケットのセンター部分にブラケット（鉄棒７ｍｍ）を横一直線に外装部１より左右１０ｍｍぐらい出るように溶接する。左右出た部分にスプリングがつく。【００１５】コンロ外装部１の前面左右外側から３０ｍｍの所に縦６０ｍｍ横８ｍｍの穴、上部にはレバーが止まる穴ＡとＣ，センター部にもレバーが止まる穴ＨとＪを作る。
後面左右外側から３０ｍｍの所に縦３０ｍｍ横８ｍｍの穴、上部にはレバーが止まる穴ＥとＧを作る。【００１６】８ｍｍのナット六角部分に６ｍｍのボルト６０ｍｍを溶接  ４個作る。
６ｍｍのナット六角部分に３ｍｍの針金で作ったＵ字型４０ｍｍを溶接  ４個作る、６０ｍｍのボルトにＵ字型ナットを取り付ける、これをロット１３と呼ぶ。【００１７】２５ｍｍの木の丸棒７０ｍｍ２本  ２５ｍｍの木の丸棒３５ｍｍ２本作り棒の真ん中に９ｍｍの穴をあけ、８ｍｍのナットを入れる。これをハンドル１４と呼ぶ。【００１８】８ｍｍのロングボルトをコンロ外装部より前面４０ｍｍ後面２０ｍｍ（全長３１０ｍｍ）出して切る、これを右側レバー２、左側レバー３と呼ぶ。【００１９】レバーとロットの組み立てを行う、右側レバー２をＤから入れ右側レバーにロット１３を２個入れＩから出して、外装部前面側に７０ｍｍのハンドル１４を、後面側に３５ｍｍのハンドル１４を取り付ける。左側レバー３をＢからいれ左側レバーにロット１３を２個入れＦから出して外装部前面側に７０ｍｍのハンドル１４を、後面側に３５ｍｍのハンドル１４を取り付ける。【００２０】ロットのＵ字型の先に下側の皿５のブラケットを４か所入れ皿の動きをみて、ロット１３の長さを調整する。これで組み立てが完了する。
【符号の説明】
【００２１】１    コンロ外装部
２    右側レバー
３    左側レバー
４    下側パッキン
５    下側皿
６    上側パッキン
７    上側皿
８    右側スプリング
９    左側スプリング
１０  炭
１１  上側ミミ
１２  コンロ内装部  （燃焼室）
１３  ロット
１４  ハンドル
１５  下側ミミ
１６  コンロの持ち手
【図１】
0003207819.tif 000003
【図２】
0003207819.tif 000004
【図３】
0003207819.tif 000005
【図４】
0003207819.tif 000006
【図５】
0003207819.tif 000007
【図６】
0003207819.tif 000008
【手続補正書】
【提出日】平成28年9月14日(2016.9.14)
【手続補正１】
【補正対象書類名】実用新案登録請求の範囲
【補正対象項目名】全文
【補正方法】変更
【補正の内容】
【実用新案登録請求の範囲】
【請求項１】
コンロ外装部と、当該コンロ外装部の中央部に入れられたコンロ内装部とからなるコンロであって、前記コンロ内装部の下側には下側皿が設けらており、当該下側皿はロットに接続され、当該ロットに設けられたレバーにより前記下側皿を上下方向に移動させることが可能なコンロ。
【請求項２】
コンロ外装部と、当該コンロ外装部の中央部に入れられたコンロ内装部とからなるコンロであって、コンロ内装部の上側下側それぞれに皿を取り付け、上側に取り付けた皿と前記下側に取り付けた皿とを左右スプリングで止めるコンロ。